(57)【要約】【課題】例えば水と切り花を収容して輸送することができる上、そのまま展示することもでき、さらに不要となった場合には、焼却処分したり、容易にリサイクルすることができる紙製容器を提供する。【解決手段】液体及び収容物を収容するための紙製の容器において、該容器が少なくとも前記液体及び収容物を収容する本体１を具備しており、該本体が、少なくとも底面と、該底面に連結した側面とを有する段ボール製のものであって、本体の展開形状の段ボールにおける前記底面の部分と前記側面の所定の高さまでの部分に、水溶性樹脂コートが施された紙２を、前記樹脂コートが施された面が内側となるように貼り付けてから組み立てられたものであることを特徴とする紙製容器。【選択図】　　図１
2004123137.tif 000002
【特許請求の範囲】
【請求項１】
液体及び収容物を収容するための紙製の容器において、該容器が少なくとも前記液体及び収容物を収容する本体を具備しており、該本体が、少なくとも底面と、該底面に連結した側面とを有する段ボール製のものであって、本体の展開形状の段ボールにおける前記底面の部分と前記側面の所定の高さまでの部分に、水溶性樹脂コートが施された紙を、前記樹脂コートが施された面が内側となるように貼り付けてから組み立てられたものであることを特徴とする紙製容器。
【請求項２】
前記水溶性樹脂コートが施された紙が、水溶性接着剤で前記本体の段ボールに貼り付けられていることを特徴とする請求項１に記載の紙製容器。
【請求項３】
前記水溶性樹脂コートが施された紙が、段ボール原紙または厚紙であることを特徴とする請求項１又は請求項２に記載の紙製容器。
【請求項４】
前記本体が、下方に縮小又は拡大するテーパ形状を有するものであることを特徴とする請求項１ないし請求項３のいずれか１項に記載の紙製容器。
【請求項５】
前記本体の側面に、取っ手用の孔が形成されていることを特徴とする請求項１ないし請求項４のいずれか１項に記載の紙製容器。
【請求項６】
前記本体の外面に耐水コートが施されていることを特徴とする請求項１ないし請求項５のいずれか１項に記載の紙製容器。
【請求項７】
前記本体の展開形状の段ボールにおける前記側面の上縁部分に係止部が切り込み形成されており、該係止部を係止することにより前記本体が組み立てられているものであることを特徴とする請求項１ないし請求項６のいずれか１項に記載の紙製容器。
【請求項８】
前記容器が、段ボール製のスペーサをさらに具備し、該スペーサは、少なくとも側面と、該側面に連結した蓋面とを有するものであって、前記本体の上部に取り付けられるものであることを特徴とする請求項１ないし請求項７のいずれか１項に記載の紙製容器。
【請求項９】
前記スペーサの側面の下縁に係止部が形成されており、該係止部を前記容器本体の上縁に係止して取り付けられるものであることを特徴とする請求項８に記載の紙製容器。
【請求項１０】
前記スペーサの下縁の係止部が、前記本体を組み立てるために形成された上縁部分の係止部に係止されるものであることを特徴とする請求項９に記載の紙製容器。
【請求項１１】
前記スペーサの側面に、取っ手用の孔と通気用の孔のうちの少なくとも一方が形成されていることを特徴とする請求項８ないし請求項１０のいずれか１項に記載の紙製容器。
【請求項１２】
前記紙製容器は、前記液体として水を収容し、前記収容物として切り花を収容するものであることを特徴とする請求項１ないし請求項１１のいずれか１項に記載の紙製容器。
【発明の詳細な説明】
【０００１】
【発明の属する技術分野】
本発明は、水等の液体と切り花等の収容物を入れても液漏れせずに輸送することができるとともに、収容物の展示にも適した紙製容器に関する。
【０００２】
【従来の技術】
従来、切り花を輸送する際、切り花を収容する容器としてポリプロピレン（ＰＰ）射出成型等により製造したプラスチック製の容器が使われている。プラスチック製の容器は、耐久性、耐水性等があり、繰り返し使用することができるという点で切り花の輸送に適している。また、近年では、切り花をプラスチック容器に入れて蓋をし、花屋等に輸送した後、蓋等を取り外して容器に入れたまま展示することができるようにデザインされたものも提案されている。
しかしながら、プラスチック容器は、破損するなどして不要となった場合に廃棄処分するとなると、近年急激に増大して問題となっているプラスチックゴミとして残る点で特に問題がある。
【０００３】
このような廃棄処分の問題を解決するものとして、近年、耐水性を付与した紙製の容器が提案されている。
具体的には、カゼイン、ゼラチン等の水溶性樹脂でコートした段ボール原紙や厚紙を、樹脂コートを施した面が容器の内側になるように組み立てた紙製容器が提案されている（例えば、特開２００１−３４８０２９号公報参照。）。
このような紙製容器は、水漏れが生じることがなく、製造コストも低く、またプラスチック製の容器に比べ軽量であるという利点がある。そして、容器が不要となった場合には、焼却処分することができるほか、水溶性樹脂コートは水等によって分解することができるので分別せずに容易にリサイクルすることができるという利点もある。
【０００４】
【特許文献１】
特開２００１−３４８０２９号公報（第４頁、図２）
【０００５】
【発明が解決しようとする課題】
ところが、上記のような紙製容器を用いて切り花を輸送する際には、比較的丈夫な段ボール製のケースと組み合わせて使用されている。すなわち、紙製容器に切り花を収容した後、さらにこれを収容することができる段ボール製の比較的丈夫な外ケースに入れて輸送中に花を傷めないようにする必要があった。また、切り花を花屋等に輸送した後、店頭で展示するには、上記紙製容器は定形性が不十分であり、そのまま展示することができないという問題があった。そのため、紙製容器から展示用の容器に移し替える必要があり、作業者の負担となるし、別途容器を準備する必要があった。
【０００６】
そこで、上記問題を解決するべく、本発明では、例えば水と切り花を収容して輸送することができる上、そのまま展示することもでき、さらに不要となった場合には、焼却処分したり、容易にリサイクルすることができる紙製容器を提供することを目的とする。
【０００７】
【課題を解決するための手段】
上記目的を達成するため、本発明によれば、液体及び収容物を収容するための紙製の容器において、該容器が少なくとも前記液体及び収容物を収容する本体を具備しており、該本体が、少なくとも底面と、該底面に連結した側面とを有する段ボール製のものであって、本体の展開形状の段ボールにおける前記底面の部分と前記側面の所定の高さまでの部分に、水溶性樹脂コートが施された紙を、前記樹脂コートが施された面が内側となるように貼り付けてから組み立てられたものであることを特徴とする紙製容器が提供される。
【０００８】
このような紙製容器であれば、本体が段ボール製であるので定形性に優れる上、水溶性樹脂コートが施された紙が貼られた底面と側面の所定の高さまでは耐水性に優れたものとなる。従って、この紙製容器の中に例えば水と切り花を収容して花屋等まで輸送した後、そのまま、即店頭で展示することができる。また、容器全体が紙から構成されているので、不要となった場合には、焼却処分することができるほか、再生紙として容易にリサイクルすることもできる。
なお、所定の高さとは、目的に応じ収容する液体量が変わることから、この液体が本体側面の内面と接触し得る高さまで水溶性樹脂コートが施された紙を貼るようにする。
【０００９】
この場合、前記水溶性樹脂コートが施された紙が、水溶性接着剤で前記本体の段ボールに貼り付けられていることが好ましい。
このように水溶性樹脂コートが施された紙の貼り付けに水溶性接着剤を使用したものであれば、リサイクルする際、水溶性接着剤を水で溶かすことができるので、リサイクル性により優れたものとなる。
【００１０】
前記水溶性樹脂コートが施された紙が、段ボール原紙または厚紙であることが好ましい。
段ボール原紙及び厚紙は比較的強度に優れているため、これに水溶性樹脂コートを施したものであれば、切り花等を収容したときに傷がついてしまうのを効果的に防ぐことができる。
【００１１】
前記本体は、下方に縮小又は拡大するテーパ形状を有するものとしても良い。
紙製容器の本体が下方に縮小するテーパ形状を有していれば、使用しないときには本体を積み重ねることができ、場所を取らない。一方、下方に拡大するテーパ形状を有していれば、安定性が増したものとなる。
【００１２】
また、本体の側面に、取っ手用の孔が形成されているものとしても良い。
このように取っ手用の孔が形成されていれば、手で持ち運ぶ際に極めて便利である。
【００１３】
本体の外面に耐水コートが施されているものとしても良い。
本体の外面に耐水コートが施されていれば、例えば花を収容して展示している間、花に水をあげるときに本体の外面が水に濡れたとしても、強度の低下を防ぐことができる。
【００１４】
また、本体の展開形状の段ボールにおける前記側面の上縁部分に係止部が切り込み形成されており、該係止部を係止することにより前記本体が組み立てられているものとすることが好ましい。
このように紙製容器の本体が、上縁部分に形成された係止部を係止して組み立てられていれば、接着剤や粘着テープ、あるいはステープル等の封緘資材を使用せずに容易に組み立てることができ、また、リサイクル性により優れたものとなる。
【００１５】
さらに、本発明の紙製容器は、段ボール製のスペーサをさらに具備し、該スペーサは、少なくとも側面と、該側面に連結した蓋面とを有するものであって、前記本体の上部に取り付けられるものとすることもできる。
このような段ボール製のスペーサをさらに具備していれば、例えば切り花を輸送する際、花を傷めずに輸送することができ、また、スペーサも紙製であるので本体と一緒にリサイクルすることもできる。さらに、スペーサ自体も折り畳みが可能となり、スペーサのみの運搬も効率的に行うことができる。
【００１６】
この場合、スペーサの側面の下縁に係止部が形成されており、該係止部が前記容器本体の上縁に係止して取り付けられるものであることが好ましい。
このようにスペーサの下縁を容器本体の上縁に係止して取り付けるものとすれば、輸送中にスペーサが外れてしまうのを効果的に防ぐことができるとともに、別途連結具を使用する必要もなくなる。
【００１７】
さらにこの場合、前記スペーサの下縁の係止部が、前記本体を組み立てるために形成された上縁部分の係止部に係止されるものとすることが好ましい。
このようにスペーサが、本体を組み立てるために形成された上縁部分の係止部に係止されて取り付けられるものであれば、容器本体にスペーサを取り付けるための係止部をわざわざ設けなくても、スペーサを容器本体に簡単に取り付けることができる。
【００１８】
また、スペーサの側面に、取っ手用の孔と通気用の孔のうちの少なくとも一方が形成されていることが好ましい。
スペーサに取っ手用の孔が形成されていれば持ち運びが容易であり、一方、通気用の孔が形成されていれば、例えば切り花を収容して保冷コンテナ等で輸送する場合、冷気を容器内に入れることが可能となり、花の鮮度を効果的に保つことができるとともに、中身を見ることができるので便利である。
【００１９】
本発明の紙製容器の用途等は特に限定されるものではないが、水と切り花を収容するものとして好適である。
すなわち、本発明の紙製容器は、本体が段ボール製であるので定型性に優れる上、内側の底面と側面の所定の高さまでは耐水性にも優れているので、本体に水と切り花を収容して輸送した後、そのまま展示することができる。
【００２０】
【発明の実施の形態】
以下、図面を参照しながら本発明の実施の形態について具体的に説明する。なお、好適な態様として、本発明の紙製容器に水と切り花を収容する場合について説明するが、本発明はこれらに限定されるものではない。
図１は本発明に係る紙製容器の本体の一例（バケットタイプ）を示したものであり、図２はその展開形状を示している。
【００２１】
この紙製容器の本体１は、図２に示したように底面となる底板３と、底板３に連結した側面となる側板４ａ，４ｂ，４ｃ，４ｄ及び連結部分５ａ，５ｂ，５ｃ，５ｄとを有する一枚の段ボール１１において、底面の部分と側面の所定の高さ（側面の高さの半分程度）までの部分に、水溶性樹脂コートが施された紙２を貼り付けて一体化してから組み立てられている。なお、図２において、側板４ｃの一部に段ボール１１のライナーが剥がされた部分（ハッチング部）が示されているが、これは段ボール１１の中芯の方向を便宜的に示したものであり、後述する図４についても同様である。
【００２２】
ここで水溶性樹脂コートとは、紙に被覆させた水溶性樹脂の膜や層のことであり、具体的に本発明で使用できる水溶性樹脂としては、例えば、カゼイン、アルブミン、ゼラチン等の天然高分子化合物、メチルセルロース、カルボキシメチルセルロース、ヒドロキシエチルセルロース等の水溶性セルロース類、ポリエチレングリコール、ポリプロピレングリコール等のポリエーテル類、（メタ）アクリル酸系ポリマー、アクリル−スチレン共重合体等の水溶性アクリル系樹脂、及び水溶性ポリブチラール、ポリビニルアルコール等の水溶性合成高分子化合物が挙げられる。なお、本発明で使用できる水溶性樹脂は上に挙げたものに限定されず、紙に膜状に被覆した際、例えば数日間から数週間、水の漏れを防止する耐水性、防湿性、撥水性等を示すものであれば特に限定されない。
【００２３】
このような水溶性樹脂が被覆された、すなわち水溶性樹脂コートが施された紙２は、耐油性、耐水性、防湿性、撥水性等を有するものとなる。なお、水溶性樹脂コートを施す紙２としては、切り花を入れたときに破れたり、傷がつき穴があいてしまうのを防ぐため、比較的丈夫なものが好ましく、段ボール原紙のほか、厚紙を好適に使用することができる。また、貼り付ける紙の大きさについては、用途に応じて適宜決めれば良く、例えば切り花を収容するものとするのであれば容器の側面の高さの３分の１程度あるいは半分の高さまでのものを貼り付ければ良い。但し、目的に応じ、これより低くても良いし、容器本体の内面全体を覆うようなものを貼り付けても良い。すなわち、本体の側面の内面の少なくとも一部の高さまで水溶性樹脂がコートされていれば本発明の範囲内である。
【００２４】
水溶性樹脂コートが施された紙２の段ボール１１への貼り付けは、各種の天然樹脂系あるいは合成樹脂系の包装用接着剤（粘着剤）を使用することができるが、水溶性のもの、特にデンプン糊等の水溶性接着剤を用いて段ボール１１に貼り付ければ、リサイクルする際に水で溶かすことができるという利点がある。
【００２５】
次に、容器を組み立てる手順について説明する。図２の展開形状のものから図１の紙製容器本体１を組み立てるには、水溶性樹脂コートが施された面が容器本体１の内側となるように各罫線に沿って折り曲げ、各側板４ａ，４ｂ，４ｃ，４ｄと連結部分５ａ，５ｂ，５ｃ，５ｄの上縁部分を係止して組み立てる。
例えば、側板４ｂは、連結部分５ａ，５ｂと係止される。側板４ｂには、二重の罫線９ｂを挟んで折り返し部１０が設けられており、側板４ｂと折り返し部１０には取っ手用の孔６ａ，６ｂと、組み立て用の係止部８ａ，８ｂがそれぞれ対称的に切り込み形成されている。
また、連結部分５ａには、その中央に罫線９ａが形成され、上縁には罫線９ａを軸として対称的に組み立て用の係止部７ａ，７ｂが切り込み形成されている。
そして容器本体を組み立てる際には、連結部分５ａを容器本体１の内側となるように罫線９ａに沿って２つに折り曲げ、連結部分５ａと各側板４ａ，４ｂとの間の罫線９も折り曲げる。
【００２６】
連結部分５ａをこのように折り曲げることで、係止部７ａ，７ｂが重なる。さらに罫線９ａに沿って２つに折り曲げられた連結部分５ａが側板４ｂと重なるように折り曲げた後、折り返し部１０を二重の罫線９ｂに沿って容器本体１の内側に折り返す。これにより連結部分５ａの係止部７ａ，７ｂと、側板４ｂの係止部８ａとが重なる。そして、図１に示されるように係止部８ａを容器本体１の内側に押し込むことにより、側面（側板４ａと連結部分５ａ）の上縁部分で係止される。他の連結部分５ｂ，５ｃ，５ｄ等も同様にして側板４ｂ，４ｄと係止することにより、ステープルや粘着テープなどの封緘材料を用いずに、図１のようなバケットタイプの紙製容器本体１を容易に組み立てることができる。
【００２７】
なお、本発明の紙製容器は、接着剤等を用いて組み立てるようにしても良いが、上記のように展開形状の１枚の段ボール１１の部分を係止して組み立てられるものとすれば、組み立て前に保管スペースを取らず、容器を使用する際に容易に組み立てることができ、また、使用後に解体するのも容易であり、作業性に優れたものとなる。また、接着剤等を使用しないことから、リサイクル性にも優れたものとなる。
また、本発明の紙製容器本体の形状は、例えば直方形状のものであっても良いが、図１のように下方にテーパした形状であれば、重ねて保管しておくことができ、嵩張ることもない。一方、例えば下方に拡大するテーパ形状のものとすれば、切り花を収容したときに安定性が増すという利点がある。
【００２８】
図１のように組み立てられた紙製容器本体１の内面は、底面と側面のほぼ半分の高さまで水溶性樹脂コートが施された紙２が貼り付けられたものとなっているので、図６のような容器本体１の中に水３３と切り花３２を入れても少なくとも一定期間、例えば数日から数週間にわたって水漏れすることがない。また、本体１を構成する段ボール１１により、優れた定形性が発揮されるので、水３３と切り花３２を収容した状態でも安定したものとなる。
【００２９】
なお、段ボールのライナーとして水溶性樹脂コートが施された紙を用いて段ボールを製造し、これを図２に示したような展開形状に打ち抜き加工して容器を組み立てることも考えられたが、この場合、段ボールの製造時（コルゲータ時）に擦れが起こり、耐水機能が低下してしまう。また、段ボールそのものに罫線を入れて組み立てる必要があり、この罫線を入れることで水漏れが発生することもある。
一方、本発明のように、展開形状の段ボールに、水溶性樹脂コートが施された紙を、樹脂コートが施された面が内側となるように貼り付けて一体としたものであれば、前記のような擦れが起きず、耐水機能の低下を招くこともない。また、予め段ボールのみに罫線を入れ、樹脂コートが施された紙には罫線を入れずに一体化させることができるので、組み立てには支障がなく、容易に組み立てることができる上、罫線からの水漏れのおそれもない。
【００３０】
なお、本体の外面に耐水コートが施されているものとすれば、収容した切り花に水をあげるときに本体の外面に水がかかっても、強度が低下せず、切り花を収容した状態を保つことができる。このような耐水コートは特に限定されないが、例えば、前記した水溶性樹脂コートを外面にも施すことが挙げられる。
【００３１】
本発明の紙製容器は、本体１の上部に取り付ける段ボール製のスペーサをさらに具備しても良い。図３は本発明に係るスペーサの一例を示したものであり、図４はその展開形状を示している。このスペーサ２１は、側面となる側板１２ａ，１２ｂ，１２ｃ，１２ｄと、側面に連結し、蓋面となる内フラップ１３ｂ，１３ｄ及び外フラップ１３ａ，１３ｃとを有している。
このスペーサ２１は、図４に示した展開形状の段ボールの糊代１４を側板１２ｄに貼り付けて組み立てられており、内フラップ１３ｂ，１３ｄを内側に折り曲げた後、外フラップ１３ａの差込み片１５ａ，１５ｂを、対向する外フラップ１３ｃに形成された差込孔１６ａ，１６ｂに差し込むことで蓋をすることができる。
なお、外フラップ１３ａ，１３ｃには、差し込みを容易にするための罫線２２が設けられている。このように蓋と一体化したスペーサ２１であれば、蓋とスペーサが別になっているものに比べ、扱い易く、また、製造コストを低く抑えることができる。
【００３２】
また、対向する一組の側板１２ａ，１２ｃの下縁にはそれぞれ２箇所で凹形の係止部２０ａ，２０ｂが切り欠き形成されている。２つの係止部２０ａ，２０ｂの間には、スペーサ２１を本体１に取り付けたときに本体１の取っ手用の孔６が塞がれないように対応した凹形の切り欠き部２０ｃが形成されている。さらに、各側板１２ａ，１２ｂ，１２ｃ，１２ｄ間の下縁部分には、Ｖ字形の切り欠き部１９が設けられている。
【００３３】
さらに、側板１２ａ，１２ｃには取っ手用の孔１７ａ，１７ｂがそれぞれ切り込み形成されている。取っ手用の孔の下には、指を１本入れることができるほどの半円形の孔１８が切り欠き形成されており、この半円形の孔１８に指を差し込んでスペーサ２１内の花の状態を覗くことができるようになっている。スペーサ２１の側面には、取っ手用の孔に代えて、あるいはさらに、通気用の孔を形成させても良し、取っ手用と通気用を兼用するような孔を形成させてもよい。
【００３４】
図５は、容器本体１に、取っ手用の孔１７ａと通気用の孔２３を形成したスペーサ３１を容器本体１に取り付けた紙製容器４１を示している。図５に示されるように、スペーサ３１の一組の対向する側板１２ａ，１２ｃの下縁の係止部２０ａ，２０ｂを、本体１を組み立てるために形成された上縁部分の係止部８ａ，８ｂに係止するように本体１の内側に差し込み、一方、他の組の対向する側板１２ｂ，１２ｄの下縁は本体１の外側に位置するようにはめ込む。これにより、スペーサ３１を本体の上部に簡単かつ確実に取り付けることができる。なお、係止手段はこのようなものに限定されないが、スペーサ３１の側面の下縁に係止部が形成され、この係止部を容器本体の上縁に係止して取り付けられるものとすることで、スペーサ３１を別途連結手段を用いることなく確実に取り付けることができる。
【００３５】
そして、切り花を輸送する際、図７に示すように、容器本体１に切り花３２と水３３を収容した後、スペーサ３１を取り付ければ、花を保護することができ、輸送中に揺らされてもスペーサ３１が外れるようなこともない。
なお、取っ手や通気孔の形状、数等は図に示したものに限られず、適宜変形あるいは応用することができる。
【００３６】
本体１に水と切り花を収容し、スペーサ３１を取り付けて花屋等の目的地に輸送した後は、スペーサ３１を取り外すことにより、図６に示したようにそのまま展示することができる。このとき、本体１は段ボールに水溶性樹脂コートが施された紙２を貼り付けたものから構成されているので、定形性に優れ、多数の切り花を収容した場合であっても安定して展示することができる。
【００３７】
スペーサ３１は、繰り返し使用することができ、容器本体１も耐水性等が保たれていれば、再利用することができる。そして、不要となって処分する際には、そのまま焼却処分するか、あるいは、古紙として容易にリサイクルすることもできる。なお、容器本体１の内側に貼りつけられている紙２は、水溶性樹脂が被覆されているが、この水溶性樹脂は、水、あるいは必要に応じて薬品を含む水溶液等により溶解されるので、分別せずに容易にリサイクルすることができる。
【００３８】
本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００３９】
例えば、スペーサの形状や大きさに関しては特に限定されず、円筒形のものであっても良く、その高さは、収容する物、例えば切り花の高さに応じて適宜設定すれば良い。また、スペーサの本体への取り付け方法も特に限定されず、例えば、本体の上縁部分に凹形の切り欠き部、あるいは切り込み部を設け、そこにスペーサの下縁部分を差し込むようにして取り付けるようにしても良い。
そのほか、本体もスペーサも外側面は段ボールであるので、店名、商品名等の情報を印刷するようにしても良い。
【００４０】
【発明の効果】
以上のように、本発明の紙製容器は、本体の展開形状の段ボールに、水溶性樹脂コートが施された紙を一体的に貼り付けてから組み立てられており、本体が段ボール製であるので定形性に優れる上、少なくとも容器本体の内部の底面と側面の所定の高さまでは耐水性に優れたものとなる。従って、この紙製容器の中に、例えば水と切り花を収容して輸送することができる上、花屋の店頭等においてそのまま展示することもできる。また、容器全体がほとんど紙から構成されているので、不要となった場合には、焼却処分することができるほか、再生紙として容易にリサイクルすることもできる。
【図面の簡単な説明】
【図１】本発明に係る紙製容器の本体の一例を示す概略斜視図である。
【図２】図１に示した紙製容器の展開図である。
【図３】本発明に係る紙製容器のスペーサの一例を示す概略斜視図である。
【図４】図３に示したスペーサの展開図である。
【図５】紙製容器の本体にスペーサを取り付けた状態を示す概略斜視図である。
【図６】紙製容器本体に水と切り花を収容した状態を示す概略図である。
【図７】水と切り花を収容した紙製容器本体にスペーサを取り付けた状態を示す概略図である。
【符号の説明】
１…紙製容器本体、　２…水溶性樹脂コートが施された紙、
３…底面（底板）、　４ａ，４ｂ，４ｃ，４ｄ…側板、
５ａ，５ｂ，５ｃ，５ｄ…連結部分、　６，６ａ，６ｂ…取っ手用の孔、
７ａ，７ｂ…係止部、　８ａ，８ｂ…係止部、　９，９ａ…罫線、
１０…折り返し部、　１１…段ボール、
１２ａ，１２ｂ，１２ｃ，１２ｄ…側面（側板）、
１３ａ，１３ｃ…外フラップ（蓋面）、
１３ｂ，１３ｄ…内フラップ（蓋面）、　１７ａ，１７ｂ…取っ手用の孔、
２０ａ，２０ｂ…係止部、　２１，３１…スペーサ、　２３…通気用の孔、
３２…切り花、　３３…水、　４１…紙製容器。
【図１】
2004123137.tif 000003
【図２】
2004123137.tif 000004
【図３】
2004123137.tif 000005
【図４】
2004123137.tif 000006
【図５】
2004123137.tif 000007
【図６】
2004123137.tif 000008
【図７】
2004123137.tif 000009